(57)【要約】【課題】自動車用内装部品の全体、あるいは一部に採用される軽量型トリムの裏面に別物部品を簡単かつ廉価に取り付ける取付構造及び取付方法を提供する。【解決手段】ドアトリム２０におけるドアトリムアッパー・フロント（積層構造体）３０は、軽量で保形性を有する発泡樹脂基材３１と、その裏面に一体化される剛性を付与する樹脂リブ３２との積層体から構成され、裏面側にウエストガーニッシュ（別物部品）５０を取り付ける構造として、樹脂リブ３２に一体化した溶着用ボス３４によりウエストガーニッシュ５０の一部を溶着一体化するとともに、ウエストガーニッシュ５０のドアトリムアッパー・フロント３０の端縁側に相当する箇所は、発泡樹脂基材３１周縁の巻込みシロ３５による既存の巻込み処理を利用し、ウエストガーニッシュ５０の上側端末５０ａを巻込みシロ３５により巻込み保持することでウエストガーニッシュ５０の保持形態を簡素化する。【選択図】図４
2010047207.tif 000002
【特許請求の範囲】
【請求項１】
所要形状に成形され、軽量でかつ保形性を有する発泡樹脂基材（３１）と、この発泡樹脂基材（３１）の裏面に一体化される所定パターン形状の樹脂リブ（３２）とを備えた積層構造体（３０）を全体、あるいは一部に採用してなる自動車用内装部品（２０）において、
前記積層構造体（３０）における発泡樹脂基材（３１）は、成形上下型（６１，６２）間でプレス成形されるとともに、この発泡樹脂基材（３１）の裏面に一体化される樹脂リブ（３２）は、成形下型（６２）の溝部（６２４）内に溶融樹脂（Ｍ）を射出充填して成形され、更に、発泡樹脂基材（３１）、樹脂リブ（３２）の裏面側に別物部品（５０）が配置され、この別物部品（５０）の端末部分（５０ａ）は、積層構造体（３０）における周縁端末の巻込みシロ（３５）により巻込み支持されていることを特徴とする自動車用内装部品。
【請求項２】
前記積層構造体（３０）における巻込みシロ（３５）は、別物部品（５０）の端末部分（５０ａ）を巻込み支持することに加えて、別物部品（５０）のボス孔（５１）に挿通させた溶着用ボス（３４ａ）の先端面と別物部品（５０）の側面に対して一体に溶着固定されていることを特徴とする請求項１に記載の自動車用内装部品。
【請求項３】
所要形状に成形され、軽量でかつ保形性を有する発泡樹脂基材（３１）と、この発泡樹脂基材（３１）の裏面に一体化される所定パターン形状の樹脂リブ（３２）とを備えた積層構造体（３０）を全体、あるいは一部に採用してなる自動車用内装部品（２０）の製造方法において、
前記積層構造体（３０）は、発泡樹脂基材（３１）の素材である発泡樹脂シート（Ｓ）を加熱軟化処理した後、成形金型（６１，６２）内に投入し、成形金型（６１，６２）の型締めにより、発泡樹脂基材（３１）を所要形状にプレス成形するとともに、上記成形金型（６１，６２）の型締め後に、成形下型（６２）の溝部（６２４）内に溶融樹脂（Ｍ）を射出充填して、発泡樹脂基材（３１）の裏面側に所定パターン形状の樹脂リブ（３２）を一体化して成形され、その後、成形金型（６１，６２）から積層構造体（３０）を脱型した後、積層構造体（３０）の背面側に別物部品（５０）を配置して、樹脂リブ（３２）に一体化した溶着用ボス（３４）を別物部品（５０）のボス孔（５１）に挿入した後、溶着用ボス（３４）をカシメ加工することで、発泡樹脂基材（３１）並びに樹脂リブ（３２）の裏面側所定位置に別物部品（５０）を一体化し、次いで、積層構造体（３０）の周縁端末部に設定した巻込みシロ（３５）の裏面側を端末処理装置（８０）における加熱治具（８２）により加熱軟化処理した後、端末処理装置（８０）における巻込み機構部（８３）の進退操作により、別物部品（５０）の端末部分（５０ａ）を包み込むように巻込みシロ（３５）を折曲操作することで、別物部品（５０）の端末部分（５０ａ）を端末処理する工程を付加したことを特徴とする自動車用内装部品の製造方法。
【請求項４】
積層構造体（３０）の周縁端末に設定した巻込みシロ（３５）の端末処理工程において、別物部品（５０）の端末部分（５０ａ）は、積層構造体（３０）の裏面から面直方向に配置され、巻込みシロ（３５）を略９０°折曲操作することにより、別物部品（５０）に溶着固定されるとともに、溶着用ボス（３４ａ）の先端面と別物部品（５０）の側面との双方を巻込みシロ（３５）と一体に溶着することを特徴とする請求項３に記載の自動車用内装部品の製造方法。
【発明の詳細な説明】
【技術分野】
【０００１】
この発明は、ドアトリム、リヤパーセルシェルフ、フロアトリム、トランクトリム、ラゲージトリム、ルーフトリム、リヤサイドトリム等の自動車用内装部品並びにその製造方法に係り、特に、積層構造体の裏面側にガーニッシュ、ブラケット、パッド等の別物部品を簡単かつ廉価で、しかも見栄え良く取り付けることができる自動車用内装部品並びにその製造方法に関する。
【背景技術】
【０００２】
例えば、自動車用内装部品の構成をドアトリムを例示して図２１，図２２を基に説明する。ドアトリム１は、保形性及びドアパネルへの取付剛性を備え、製品面のほぼ全面にゆきわたっている樹脂芯材２の表面に、表面外観に優れた表皮３を積層一体化して構成されている。上記樹脂芯材２としては、タルクを混入したポリプロピレン系樹脂を素材としており、また、表皮３は、それ自体保形性を備えておらず、塩ビシート等の合成樹脂シートの単一シート材料か、あるいは合成樹脂シートの裏面にポリエチレンフォーム等のクッション材が積層された積層シート材料が使用され、最近では、環境面やリサイクル面を考慮して、サーモプラスチックオレフィン（ＴＰＯ）シート等のエラストマーシートが多用される傾向にある。
【０００３】
次に、上記ドアトリム１の成形方法における従来例について図２３を基に説明する。まず、ドアトリム１を成形する成形金型４は、所定ストローク上下動可能な成形上型５と、成形上型５と対をなす固定側の成形下型６と、成形下型６と接続される射出機７とから大略構成されている。そして、成形上下型５，６を型締めした際、ドアトリム１の製品形状を形造るために成形上型５にはキャビティ部５ａが形成され、成形下型６にはコア部６ａが設けられている。上記成形上型５を所定ストローク上下動作させるために、昇降シリンダ５ｂが連結され、成形下型６には射出機７からの溶融樹脂の通路となるマニホールド６ｂ、ゲート６ｃが設けられている。また、上下動作する成形上型５には、適正姿勢を維持させるために、成形下型６の４隅部にガイドポスト６ｄが設けられ、このガイドポスト６ｄに対応して成形上型５にガイドブッシュ５ｃが設けられている。
【０００４】
従って、成形上下型５，６が型開き状態にある時、表皮３を金型内にセットし、その後、成形上下型５，６を型締めする直前か、または型締めした後のいずれかのタイミングで両金型間の製品キャビティ内に射出機７からマニホールド６ｂ、ゲート６ｃを通じて溶融樹脂Ｍを射出充填することにより、樹脂芯材２を所要の曲面形状に成形するとともに、樹脂芯材２の表面に表皮３を一体成形している（例えば、特許文献１参照。）。尚、図２３では、説明の便宜上、コア部６ａの型面にオープン状態で溶融樹脂Ｍが供給されているが、溶融樹脂Ｍは成形上下型５，６の型締め後にキャビティ内に射出充填されても良い。
【０００５】
そして、最近では、図２４，図２５に示すように、軽量で廉価に製作できる軽量型のドアトリム１０が提案されている。この軽量型のドアトリム１０は、発泡樹脂シートを所要形状にプレス成形してなる軽量でかつ保形性を有する発泡樹脂基材１１と、この発泡樹脂基材１１の周縁部分や補強を必要とする部分に樹脂リブ１２が格子形状等、肉抜き状に設定されて一体化されているとともに、発泡樹脂基材１１の表面には、表面風合いや感触を良好に維持するための表皮１３が一体化されている。この種、軽量型のドアトリム１０の構成並びに製造方法については、特許文献２に詳細に示されている。また、この種、軽量型のドアトリム１０においては、ガーニッシュ、ブラケット、パッド等の別物部品１４を所定位置に固定するには、例えば、図２６に示すように、樹脂リブ１２の裏面から溶着用ボス１５を立設し、この溶着用ボス１５を別物部品１４のボス孔１４ａ内に挿通した後、溶着用ボス１５の先端を超音波加工等により、カシメ固定するか、あるいは、図２７に示すように、別物部品１４を発泡樹脂基材１１の裏面にホットメルト系接着剤層１６を介して接着一体化する方法が従来では実施されている。
【０００６】
【特許文献１】特開平１０−１３８２６８号公報
【０００７】
【特許文献２】特開２００５−２８７２２号公報
【発明の開示】
【発明が解決しようとする課題】
【０００８】
このように、発泡樹脂基材１１の裏面に所定パターン形状の樹脂リブ１２を一体化した軽量型のドアトリム１０は、軽量でかつ低コストに製作できるという特質を備えている。しかし、ドアトリム１０の裏面側にガーニッシュ、ブラケット、あるいはパッド等の別物部品１４を取付固定するには、例えば、溶着用ボス１５による溶着固定構造か、ホットメルト系接着剤層１６による接着固定構造が考えられるが、溶着用ボス１５を使用する方法では、成形金型への型加工上、溶着用ボス１５の設定箇所に制約を受けるため、別物部品１４の設定位置が制限され、設計自由度が制約されるという不具合があるとともに、溶着用ボス１５を複数箇所に設定して、個々の溶着用ボス１５をカシメ加工するため、加工が面倒であり、作業時間が多くかかる等、作業性に問題があった。
【０００９】
また、図２７に示すホットメルト系接着剤層１６を使用する方法では、同様にホットメルト系接着剤層１６の塗布工程が必要となり、工数が嵩みコストアップを招来するとともに、作業環境上好ましくないという問題点があった。
【００１０】
この発明は、このような事情に鑑みてなされたもので、発泡樹脂基材をベースとした軽量型の内装部品であって、基材の裏面側にガーニッシュ、ブラケット、パッド等の別物部品を取り付ける際、簡単かつ廉価で、しかも見栄え良く取り付けることができるとともに、別物部品の設置箇所に制約を受けることがなく、任意位置に設定できる等、造形自由度を向上させることができる自動車用内装部品並びにその製造方法を提供することを目的とする。
【課題を解決するための手段】
【００１１】
本発明者は、上記課題を解決するために、鋭意研究の結果、積層構造体の端末処理構造として、周縁全周、あるいは周縁の一部に設けた巻込みシロを加熱軟化させて本体側裏面に巻込み処理する際、別物部品の端末部分をこの巻込みシロにより包み込むように固定することで、溶着用ボスによるボス固定構造に替えて、別物部品を簡単かつ廉価に固定できることに着目して、本発明を完成するに至った。
【００１２】
すなわち、本発明は、所要形状に成形され、軽量でかつ保形性を有する発泡樹脂基材と、この発泡樹脂基材の裏面に一体化される所定パターン形状の樹脂リブとを備えた積層構造体を全体、あるいは一部に採用してなる自動車用内装部品において、前記積層構造体における発泡樹脂基材は、成形上下型間でプレス成形されるとともに、この発泡樹脂基材の裏面に一体化される樹脂リブは、成形下型の溝部内に溶融樹脂を射出充填して成形され、更に、発泡樹脂基材、樹脂リブの裏面側に別物部品が配置され、この別物部品の端末部分は、積層構造体における周縁端末の巻込みシロにより巻込み支持されていることを特徴とする。
【００１３】
ここで、自動車用内装部品の用途としては、ドアトリム、リヤパーセルシェルフ、フロアトリム、トランクトリム、ラゲージトリム、ルーフトリム、リヤサイドトリム等に適用できる。また、自動車用内装部品の全体構造に本発明に係る積層構造体を適用することもできるが、自動車用内装部品の一部、例えば上下二分割体のドアトリムにおけるドアトリムアッパーのみに本発明に係る積層構造体を適用するか、あるいはドアトリムアッパーにおいても、フロント、リヤの前後二分割体から構成する場合において、ドアトリムアッパー・フロント側にのみ積層構造体を適用することもできる。
【００１４】
更に、保形性を有する発泡樹脂基材は、発泡樹脂シートを加熱軟化処理した後、成形金型内で所望の曲面形状に成形することで、リブ等の補強材がなくても、成形後、型から脱型しても形状を保持する程度の剛性（保形性）を有している。また、製品形状が高展開率部分を含む場合には、発泡樹脂シートを加熱軟化処理した後、成形金型に真空吸引機構を配設して成形金型の内面に沿って発泡樹脂シートに真空吸引力を作用させるようにしても良い。
【００１５】
上記発泡樹脂シートとしては、熱可塑性樹脂に発泡剤を添加した素材を使用する。尚、熱可塑性樹脂は、１種類の熱可塑性樹脂でも２種類以上の熱可塑性樹脂からなっても良い。好ましくは、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等が使用できる。また、発泡剤としては、アゾ化合物、スルホヒドラジド化合物、ニトロソ化合物、アジド化合物等の有機発泡剤、あるいは重炭酸ナトリウム等の無機発泡剤の使用が可能である。上記発泡樹脂シートを加熱軟化処理後、所要形状に成形して得た発泡樹脂基材は、製品の重量と強度とのバランスを考慮した場合、２〜１０倍の発泡倍率が好ましい。その時の発泡樹脂基材のセル径は０．１μｍ〜２．０ｍｍの範囲であることが好ましく、厚みは０．５〜３０ｍｍ、好ましくは１〜１０ｍｍの範囲のものが良い。
【００１６】
次いで、積層構造体の外観意匠性を高めるために、発泡樹脂基材の表面に表皮が積層一体化されていても良い。この表皮としては、材料は限定しないが、表面外観を高めるトップ層と、クッション性能を付与するクッション層との積層シート材料とから構成しても良い。トップ層としては、サーモプラスチックオレフィン（ＴＰＯ）シート、サーモプラスチックウレタン（ＴＰＵ）シート、塩ビシート等の合成樹脂シート、あるいは織布、不織布、編布等の布地シート等を使用することができ、クッション層としては、ポリプロピレンフォーム、ポリエチレンフォーム、ポリウレタンフォーム等を使用することができる。
【００１７】
一方、樹脂リブとして使用する熱可塑性樹脂は、広範な熱可塑性樹脂から適宜選択することができる。通常好ましく使用できるものとして、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等がある。また、これら熱可塑性樹脂中に各種充填剤を混入しても良い。使用できる充填剤としては、ガラス繊維、カーボン繊維等の無機繊維、タルク、クレイ、シリカ、炭酸カルシウム等の無機粒子などがある。また、酸化防止剤、紫外線吸収剤、着色剤、難燃剤、低収縮剤等の各種の添加剤が配合されても良い。更に、上記樹脂リブは、発泡樹脂基材の裏面に所定パターン形状に沿って配置される。配置箇所としては、反り変形、波打ち変形等が生じ易い周縁部及び荷重が加わり易いウエスト部やアームレスト部等、荷重が集中する部位に部分的に配置される。
【００１８】
更に、積層構造体の背面側に取り付けられる別物部品としては、ガーニッシュ、ブラケット、パッド等があり、従来では、ボスによる溶着固定、ホットメルト系接着剤による溶着固定が一般的であったが、本発明では、一部にボス溶着固定を採用するが、別物部品の端末部分において、発泡樹脂基材の周縁端末に沿う巻込みシロにより巻き込み処理することで、積層構造体の端末処理と別物部品の端末処理が同時に実施されることが特徴である。
【００１９】
そして、本発明に係る自動車用内装部品によれば、その一部に軽量で低コストに製作できる積層構造体を採用したため、製品の軽量化を図ることができ、かつ製品コストを低減化させることができることに加えて、積層構造体の裏面側に配設される別物部品の取付構造について、積層構造体の周縁端末に沿って設定した巻込みシロの端末処理工程時に別物部品の端末部分を包持状に巻込み固着するという構成を採用したため、溶着用ボスの設定箇所を低減でき、金型加工等にかかる費用を低減できるとともに、別物部品の端末部分の切断木口は巻込みシロで被包され、外観見栄えが向上するとともに、造形自由度も向上させることができる。
【００２０】
次いで、本発明に係る自動車用内装部品の更に好ましい実施の形態においては、前記積層構造体における巻込みシロは、別物部品の端末部分を巻込み支持することに加えて、別物部品のボス孔に挿通させた溶着用ボスの先端面と別物部品の側面に対して一体に溶着固定されていることを特徴とする。
【００２１】
そして、この実施の形態によれば、積層構造体における発泡樹脂基材の製品端末に沿って設けられる巻込みシロは略９０°折曲操作されて、別物部品の側面に溶着すると同時に、別物部品のボス孔に挿通させた溶着用ボスの先端面も別物部品の貼付面と一体に巻込みシロと溶着するという構成であるため、ボスを設定することで、別物部品を取り付ける位置精度が向上し、かつ別物部品のより確実な固定が可能になるという効果を有する。
【００２２】
次いで、本発明に係る自動車用内装部品の製造方法は、所要形状に成形され、軽量でかつ保形性を有する発泡樹脂基材と、この発泡樹脂基材の裏面に一体化される所定パターン形状の樹脂リブとを備えた積層構造体を全体、あるいは一部に採用してなる自動車用内装部品の製造方法において、前記積層構造体は、発泡樹脂基材の素材である発泡樹脂シートを加熱軟化処理した後、成形金型内に投入し、成形金型の型締めにより、発泡樹脂基材を所要形状にプレス成形するとともに、上記成形金型の型締め後に、成形下型の溝部内に溶融樹脂を射出充填して、発泡樹脂基材の裏面側に所定パターン形状の樹脂リブを一体化して成形され、その後、成形金型から積層構造体を脱型した後、積層構造体の背面側に別物部品を配置して、樹脂リブに一体化した溶着用ボスを別物部品のボス孔に挿入した後、溶着用ボスをカシメ加工することで、発泡樹脂基材並びに樹脂リブの裏面側所定位置に別物部品を一体化し、次いで、積層構造体の周縁端末部に設定した巻込みシロの裏面側を端末処理装置における加熱治具により加熱軟化処理した後、端末処理装置における巻込み機構部の進退操作により、別物部品の端末部分を包み込むように巻込みシロを折曲操作することで、別物部品の端末部分を端末処理する工程を付加したことを特徴とする。
【００２３】
そして、本発明方法は、自動車用内装部品の一部、あるいは全体を構成する積層構造体の製造方法として、積層構造体の成形工程、成形金型から積層構造体を脱型後、積層構造体の裏面に別物部品を取り付ける別物部品の取付工程の２工程からなっており、特に、別物部品の取付工程は、ボスの溶着固定工程と、巻込みシロの巻込み処理工程とからなっている。
【００２４】
ここで、積層構造体の成形方法に使用する成形金型は、例えば、型開方向を上下方向に設定した仕様の成形金型においては、上下動可能な成形上型と、成形上型の下方側に位置する固定側である成形下型と、成形下型に連結される射出機とから構成され、射出機から供給される溶融樹脂は、成形下型に設けられたマニホールド、ゲート等の樹脂通路を通じて成形下型の型面に穿設加工されている所定パターン形状の溝部内に供給される。また、所望ならば、成形上型に真空吸引機構を付設しても良く、発泡樹脂基材の絞り成形時、成形上型から真空吸引力を作用させることで、製品形状の賦形性を高めるとともに、絞模様等の転写に有利である。一方、成形下型にエアブロー機構を付設しても良く、エアブロー機構は、発泡樹脂基材の成形時に冷却用エアを吹き付けることで冷却サイクルを短縮化できる。
【００２５】
従って、発泡樹脂基材の素材である発泡樹脂シートをヒーター等により、加熱軟化処理を行なった後、発泡樹脂シートを成形金型内に投入し、その後、成形上下型を型締めすることで、発泡樹脂基材を所要形状にプレス成形するとともに、発泡樹脂基材の成形と同時、あるいは若干のタイム差を設定した後、発泡樹脂基材裏面に対して射出機から溶融樹脂をマニホールド、ゲート等の樹脂通路を通じて成形下型の溝部内に供給して、発泡樹脂基材の裏面に所定パターン形状の樹脂リブを一体化することができる。また、所望ならば、発泡樹脂シートに予め表皮を貼付しておくか、あるいは成形時に表皮を一体化することで、発泡樹脂基材の表面に表皮を積層することもできる。
【００２６】
次いで、積層構造体の裏面に別物部品を取り付ける取付構造に使用する設備としては、溶着用ボスのカシメ加工に使用するカシメ装置と、別物部品の端末部分を包持するように巻込みシロにより巻込み処理する端末処理装置とがある。カシメ装置としては、加工対象となる積層構造体をセットする溶着用治具と、樹脂リブと一体に設けた溶着用ボスに対応して超音波加工を施すための超音波ホーンがプレス機に連結されたものが使用される。また、端末処理装置は、成形後の積層構造体をセットする受け治具と、積層構造体の端縁部に相当する巻込みシロを加熱軟化処理する加熱治具と、巻込みシロを発泡樹脂基材本体の裏面側に折返し処理する巻込み機構部とからなる。上記受け治具は、積層構造体をセットするためのセット台と、セット台上にセットされた積層構造体を固定するためのスペーサ、及び受け治具押さえとから構成されている。また、加熱治具としては、ボックス状のヒーターを備えたヒーター支持体が横方向にスライド可能であり、かつ上下方向に対しても昇降可能な構成を採用しても良い。更に、巻込み機構部としては、直方体形状の巻込みコマが進退用シリンダにより水平方向に沿って進退駆動されるとともに、進退用シリンダを支持するテーブルがテーブル駆動用シリンダにより上下方向に沿って駆動される。
【００２７】
従って、積層構造体の成形が完了すれば、成形金型を型開きして積層構造体を取り出した後、カシメ装置における溶着用治具に積層構造体をセットし、その上に別物部品を載置する。この時、樹脂リブに立設した溶着用ボスを別物部品のボス孔に挿通させ、溶着用ボスの先端に対してプレス機に連結した超音波ホーンを下降させて溶着加工を行ない、積層構造体の樹脂リブに設けた溶着用ボスを介して別物部品を部分的に溶着固定する。
【００２８】
その後、別物部品を一体化した積層構造体を端末処理装置のセット用治具上にセットし、積層構造体における発泡樹脂基材の周縁端末に相当する巻込みシロ裏面を加熱治具により加熱軟化させ、その後、巻込みコマをシリンダ駆動させることにより巻込みシロを巻込み操作し、この巻込みシロにより、別物部品の端末部分を包み込むように巻込み処理すれば良い。
【００２９】
このように、本発明方法によれば、積層構造体の製造方法は、所要形状に成形された積層構造体に対して、別物部品を取り付ける別物部品の取付工程が付加されており、この別物部品の取付工程は、溶着用ボスの溶着カシメ工程と、発泡樹脂基材の巻込みシロにより別物部品の端末部分を巻き込む端末処理工程とからなっており、従来のボス溶着固定方法に比べ、ボス設定箇所の制約が緩和され、かつボスの個数も低減でき、溶着加工作業を簡素化できるとともに、別物部品の端末部分を発泡樹脂基材により巻き込むため、外観見栄えも向上し、特に、発泡樹脂基材における一般の巻込みシロの端末処理工程を利用するため、工数アップを抑えられる。
【００３０】
更に、本発明方法の好ましい実施の形態においては、積層構造体の周縁端末に設定した巻込みシロの端末処理工程において、別物部品の端末部分は、積層構造体の裏面から面直方向に配置され、巻込みシロを略９０°折曲操作することにより、別物部品に溶着固定されるとともに、溶着用ボスの先端面と別物部品の側面との双方を巻込みシロと一体に溶着することを特徴とする。
【００３１】
そして、この実施の形態においては、別物部品の端末部分は、樹脂リブと発泡樹脂基材の巻込みシロにより挟持され、かつ樹脂リブから立設した溶着用ボスの先端面部が巻込みシロと溶着一体化することで、別物部品の端末部分が樹脂リブと巻込みシロにより確実に保持されることになる。また、ボスを設定することで別物部品を取り付ける位置精度を向上させることができるという効果を有する。
【発明の効果】
【００３２】
以上説明した通り、本発明に係る自動車用内装部品並びにその製造方法によれば、自動車用内装部品の全体、あるいは一部を構成する積層構造体は軽量でかつ保形性を有する発泡樹脂基材と、この発泡樹脂基材の裏面で剛性が必要とされる部位に一体化される樹脂リブとから構成されているため、従来の重量の嵩む樹脂芯材を配置できることから、軽量で低コストに自動車用内装部品を提供できるとともに、積層構造体の裏面に取り付けるガーニッシュ、ブラケット、パッド等の別物部品については、積層構造体の周縁端末部に設定した巻込みシロの端末処理時に別物部品の端末部分を一体に巻込み処理するというものであるから、従来のボス溶着工法やホットメルト接着工法に比べ、工数を低減でき、別物部品の端末部分が発泡樹脂基材の巻込みシロで短時間に被包されるため、端末部分の見栄えを廉価な方法で高めることができるという効果を有する。
【発明を実施するための最良の形態】
【００３３】
以下、本発明に係る自動車用内装部品並びにその製造方法の好適な実施例について、添付図面を参照しながら詳細に説明する。尚、念のため付言すれば、本発明の要旨は特許請求の範囲に記載した通りであり、以下に説明する実施例の内容は、本発明の一例を単に示すものに過ぎない。
【実施例】
【００３４】
図１乃至図２０は本発明の一実施例を示すもので、図１は自動車用ドアトリムを示す正面図、図２は同ドアトリムにおけるドアトリムアッパーを示す正面図、図３は同ドアトリムアッパーの構成を示す断面図、図４は同ドアトリムアッパーにおけるドアトリムアッパー・フロントの構成を示す断面図、図５は同ドアトリムアッパー・フロントの成形に使用する成形金型の構成を示す全体図、図６乃至図８は同ドアトリムアッパー・フロントの成形工程を示す各説明図、図９乃至図１４は同ドアトリムアッパー・フロントに別物部品を取り付ける各工程を示すもので、図９，図１０は溶着用ボスのカシメ加工工程を示す各説明図、図１１乃至図１４は別物部品の端末部分をサポートする巻込みシロの加熱軟化処理、巻込み処理をそれぞれ示す各説明図、図１５乃至図２０は本発明の変形例を示すもので、図１５は別物部品の形状を変更した断面図、図１６乃至図２０は図１５に示す別物部品をドアトリムアッパー・フロントに取り付ける各工程を示す説明図である。
【００３５】
図１乃至図４に基づいて、本発明に係る自動車用内装部品を適用した自動車用ドアトリム２０の構成について説明する。図１に示すように、自動車用ドアトリム２０は、ドアトリムアッパー２０Ａと、ドアトリムロア２０Ｂの上下二分割体から構成されており、ドアトリムアッパー２０Ａには、インサイドハンドルユニット２１がその中接部のフロント側に取り付けられている。一方、ドアトリムロア２０Ｂには、室内側に膨出するアームレスト２２が形成され、アームレスト２２の上面には、パワーウインドウスイッチ等のスイッチパネル２３、プルハンドルユニット２４が設けられている。更に、アームレスト２２の下方には、備品を収容できるドアポケット２５が設けられており、このドアポケット２５のフロント側にスピーカグリル２６がドアトリムロア２０Ｂと一体あるいは別体に設けられている。
【００３６】
このように、本発明を適用した自動車用ドアトリム２０は、ドアトリムアッパー２０Ａとドアトリムロア２０Ｂとの上下二分割体から構成され、外観上の対比効果により意匠性を高めるとともに、成形金型のコンパクト化を図ることができる。更に、本発明においては、ドアトリムアッパー２０Ａについても、前後方向に二分割構成が採用されている。すなわち、図２乃至図４に示すように、ドアトリムアッパー２０Ａについては、ドアトリムアッパー・フロント３０とドアトリムアッパー・リヤ４０との前後二分割体から構成されている。尚、ドアトリムアッパー・フロント３０及びドアトリムアッパー・リヤ４０双方の下縁には、ドアトリムロア２０Ｂと接合させるための接合用フランジ２７が設定されている。そして、ドアトリムアッパー・フロント３０の構成として、軽量で低コストに製作できる積層構造体の構成を採用するとともに、その裏面側に、例えば、ガーニッシュ、ブラケット、パッド等の別物部品が配置される場合、本実施例ではウエストガーニッシュ５０が取り付けられているが、ウエストガーニッシュ５０の取り付けを簡単かつ廉価でしかも外観見栄えも良好に行なえるようにしたことが特徴である。
【００３７】
次に、ドアトリムアッパー・フロント３０並びにドアトリムアッパー・リヤ４０の具体的な構成について説明する。まず、積層構造体から構成されるドアトリムアッパー・フロント３０は、所望の曲面形状に成形され、保形性を有する発泡樹脂基材３１と、この発泡樹脂基材３１の裏面側に一体化され、剛性を付与する樹脂リブ３２と、発泡樹脂基材３１の表面側に一体化される加飾機能をもつ表皮３３とから大略構成されている。
【００３８】
上記発泡樹脂基材３１は、保形性を備えるように、発泡樹脂シートを加熱軟化処理後、所要形状に熱成形、例えば、所望の型面を有する成形金型でコールドプレス成形して、形状が付与される。上記発泡樹脂シートは、汎用の熱可塑性樹脂に発泡剤を添加した構成であり、熱可塑性樹脂として、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等が使用でき、発泡剤としては、アゾジカルボンアミド等の有機発泡剤や重炭酸ナトリウム等の無機発泡剤が使用できる。この実施形態では、ポリプロピレン系樹脂に発泡剤として重炭酸ナトリウムを適宜添加した発泡樹脂シートを使用している。また、この発泡樹脂基材３１の発泡倍率は２〜１０倍に設定され、厚みは０．５〜３０ｍｍ、特に好ましくは１〜１０ｍｍの範囲に設定されている。
【００３９】
次いで、樹脂リブ３２は、縦横方向、あるいは斜め方向等に延びる格子状パターンに設定されている。そして、この樹脂リブ３２は、ガラス繊維、天然繊維等の強化繊維を添加した汎用の合成樹脂成形体からなり、通常好ましく使用できる合成樹脂は、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等から適宜選択されて良く、本実施形態では、環境面、リサイクル面を考慮してポリプロピレン系樹脂が使用されている。
【００４０】
このように、積層構造体であるドアトリムアッパー・フロント３０が構成されているが、このドアトリムアッパー・フロント３０と連接するドアトリムアッパー・リヤ４０は、合成樹脂の射出成形体から構成されており、使用する素材としては、ドアトリムアッパー・フロント３０の樹脂リブ３２と同一の素材が使用でき、ドアトリムアッパー・フロント３０とドアトリムアッパー・リヤ４０との外観上のアクセント効果により、優れた外観意匠性が保証される点はドアトリムアッパー２０Ａとドアトリムロア２０Ｂとの関係と同一である。
【００４１】
更に、本発明に係る自動車用ドアトリム２０においては、ドアトリムアッパー・フロント３０の裏面側にウエストガーニッシュ５０が取り付けられているが、このウエストガーニッシュ５０の取付構造が簡素化されている。すなわち、図４に示すように、ドアトリムアッパー・フロント３０の裏面側にウエストガーニッシュ５０が重ね合わされ、樹脂リブ３２から裏面側に立設した溶着用ボス３４がウエストガーニッシュ５０のボス孔５１内に差し込まれ、溶着用ボス３４の先端部分がカシメ加工されることにより、ウエストガーニッシュ５０の下半部分がドアトリムアッパー・フロント３０の裏面に固定されているとともに、ウエストガーニッシュ５０の上半部分については、発泡樹脂基材３１の端末部に設けた巻込みシロ３５でウエストガーニッシュ５０の上側端末５０ａが巻込み固着されている。
【００４２】
従って、上側部分にボス溶着箇所を設定する必要がないため、ウエストガーニッシュ５０を取り付けるための溶着用ボス３４の個数を低減でき、金型加工工数を削減でき、発泡樹脂基材３１の巻込みシロの巻込み操作は、通常の周縁部分の端末処理工程と併用できるため、工数アップを伴なうこともなく、ウエストガーニッシュ５０の上側端末５０ａを巻込みシロ３５で被包するため、外観見栄え上も好ましい。
【００４３】
次いで、ドアトリムアッパー・フロント３０を成形する際に使用する成形金型６０の構成について、図５を基に説明する。成形金型６０は、所定ストローク上下動可能な成形上型６１と、成形上型６１と対をなす固定側の成形下型６２と、成形下型６２に接続される射出機６３とから大略構成されている。更に詳しくは、成形上型６１は、製品形状に合致したキャビティ部６１１が形成されており、成形上型６１の上面に連結された昇降シリンダ６１２により所定ストローク上下駆動される。また、成形上型６１の４隅部にはガイドブッシュ６１３が設けられている。
【００４４】
一方、成形下型６２には、成形上型６１のキャビティ部６１１に対応するコア部６２１が設けられている。また、このコア部６２１の型面に溶融樹脂を供給するために、マニホールド６２２、ゲート６２３が成形下型６２に設けられており、このマニホールド６２２、ゲート６２３の樹脂通路を経て、射出機６３から供給される溶融樹脂Ｍがコア部６２１の上面に供給される。尚、樹脂リブ３２を形成するために、コア部６２１上面に溶融樹脂Ｍが供給される溝部６２４が穿設されている。また、成形下型６２の４隅部には、ガイド機構となるガイドポスト６２５が穿設され、このガイドポスト６２５は、成形上下型６１，６２が型締めされる際、成形上型６１のガイドブッシュ６１３内にガイドポスト６２５が案内されることで、成形上型６１のプレス性を適正に維持することができる。
【００４５】
次に、上記ドアトリムアッパー・フロント３０の成形方法の各工程について説明する。まず、発泡樹脂シートＳの一方面に表皮３３をラミネートしたものを図示しないヒーター装置により加熱軟化処理を行ない、成形上下型６１，６２が型開き状態にある時、型内に投入する。この実施例では、発泡樹脂シートＳとして、ポリプロピレン製発泡シート（住化プラステック製、商品名：スミセラー発泡ＰＰシート、発泡倍率＝３倍、厚み３ｍｍ）が使用されている。尚、所望により、発泡樹脂シートＳと表皮３３とを成形金型６０内に別々に重ね合わせるようにセットしても良い。そして、発泡樹脂シートＳをセットした後、昇降シリンダ６１２の駆動により成形上型６１が所定ストローク下降して、成形上下型６１，６２が型締めされて、発泡樹脂シートＳが所望の型面形状に沿って賦形される（図７参照）。
【００４６】
更に、発泡樹脂基材３１の成形と同時、あるいは一定時間経過後に樹脂リブ３２の射出成形が行なわれる。すなわち、成形上下型６１，６２が型締め状態にある時、射出機６３からマニホールド６２２、ゲート６２３を通じて溝部６２４内に溶融樹脂Ｍを射出充填して、樹脂リブ３２が所定パターン形状に成形される。尚、この溶融樹脂Ｍとしては、住友ノーブレンＢＵＥ８１Ｅ６（住友化学工業製ポリプロピレン、メルトインデックス＝８０ｇ／１０分）を使用している。また、溶融樹脂Ｍには、タルク等のフィラーが適宜割り合いで混入されていても良い。
【００４７】
以上説明したように、ドアトリムアッパー・フロント３０が所要形状に成形されるが、成形が完了すれば、成形上下型６１，６２が型開きされ、成形金型６０からドアトリムアッパー・フロント３０を取り出し、図９に示すカシメ装置７０における溶着用治具７１にドアトリムアッパー・フロント３０をセットする。そして、ウエストガーニッシュ５０をドアトリムアッパー・フロント３０の裏面側に位置決めするが、この時、ドアトリムアッパー・フロント３０の樹脂リブ３２に一体化している溶着用ボス３４をウエストガーニッシュ５０のボス孔５１内に挿入して、溶着用ボス３４の先端部分を超音波ホーン７２でカシメ加工することで、図１０に示すように、ウエストガーニッシュ５０の下半部分は、溶着用ボス３４のカシメ接合により、ドアトリムアッパー・フロント３０の裏面側所定位置に固定される。この時、ウエストガーニッシュ５０の上側端末５０ａより上方に発泡樹脂基材３１の端末部分が延在している。そして、この部位が巻込みシロ３５に相当する。
【００４８】
次いで、ドアトリムアッパー・フロント３０に対してウエストガーニッシュ５０の取り付けを完了させるために、図１１に示す端末処理装置８０を使用する。この端末処理装置８０は、ドアトリムアッパー・フロント３０をセットするセット用治具８１と、ドアトリムアッパー・フロント３０における巻込みシロ３５を加熱軟化させる加熱治具８２と、巻込みシロ３５を本体の裏面側に巻込み処理する巻込み機構部８３とから大略構成されている。
【００４９】
更に詳しくは、セット用治具８１は、ドアトリムアッパー・フロント３０をセットするためのセット台８１ａと、ドアトリムアッパー・フロント３０を所定位置に位置決め固定するためのスペーサ８１ｂと、受け治具押さえ８１ｃとから構成されている。次に、加熱治具８２としては、ヒーター８２ａを支持するヒーター支持体８２ｂが駆動用シリンダ８２ｃに連結されており、この加熱治具８２のヒーター８２ａにより、ドアトリムアッパー・フロント３０の巻込みシロ３５の裏面が加熱軟化される。更に、巻込み機構部８３の動作については、巻込みシロ３５を巻込み処理する巻込みコマ８３ａが進退用シリンダ８３ｂにより水平方向に沿って進退駆動されるとともに、進退用シリンダ８３ｂを取り付けたテーブル８３ｃは、上下動作用シリンダ８３ｄにより上下方向に沿って所定ストローク駆動される。
【００５０】
従って、図１０に示す半完成品の端末処理を行なうには、図１１に示すように、端末処理装置８０のセット用治具８１のセット台８１ａにドアトリムアッパー・フロント３０とウエストガーニッシュ５０の下半部分を一体化した状態でセットする。そして、スペーサ８１ｂ、受け治具押さえ８１ｃにより所定位置で固定した後、図１２に示すように、加熱治具８２が所定位置に駆動し、ヒーター８２ａにより発泡樹脂基材３１の周縁部分に沿って設定された巻込みシロ３５の裏面側が加熱軟化される。
【００５１】
その後、図１３に示すように、ヒーター８２ａを支持するヒーター支持体８２ｂは、駆動用シリンダ８２ｃの駆動により後退し、代わりに巻込み機構部８３における巻込みコマ８３ａが進退用シリンダ８３ｂの動作によりスライド動作して、巻込みシロ３５を略９０°折曲操作し、ウエストガーニッシュ５０の上側端末５０ａを基点として巻込み処理を行なう。この時、図１４に示すように、進退用シリンダ８３ｂ及び上下動作用シリンダ８３ｄの双方の動作により、巻込みシロ３５はほぼ１８０°の折曲角度で巻込み処理を行なうことができる。そして、巻込みシロ３５の端末処理動作は、ドアトリムアッパー・フロント３０の周縁に沿って通常行なわれるため、通常の端末処理と同時にウエストガーニッシュ５０の巻込み処理動作も行なえるため、工数が新たに付加されることがなく、また、ボスの個数も低減でき、しかも、外観見栄えも高めることができる等、大きな作用効果が期待できる。
【００５２】
次に、図１５乃至図２０は、本発明の変形例を示すもので、図１５に示すように、この変形例においてもドアトリム２０におけるドアトリムアッパー・フロント３０にウエストガーニッシュ５０を取り付ける形態について適用されている。そして、図面から明らかなように、ウエストガーニッシュ５０は、屈曲形状に設定されており、上部と下部のそれぞれ複数箇所にボス孔５１ａ，５１ｂ（上側ボス孔を５１ａ、下側ボス孔を５１ｂとする）が形成され、それに対応して、樹脂リブ３２についても、対応する溶着用ボス３４ａ，３４ｂが設定されている。そして、ウエストガーニッシュ５０の下側については、溶着用ボス３４ｂがウエストガーニッシュ５０のボス孔５１ｂ内に差し込まれ、先端をカシメ加工することでウエストガーニッシュ５０の下半部分がボス固定されているとともに、ウエストガーニッシュ５０の上側端末５０ａを含む上端側は、樹脂リブ３２と巻込みシロ３５との間で挟持固定されており、更に、巻込みシロ３５は、溶着用ボス３４ａの先端面と溶着固定している。
【００５３】
従って、溶着用ボス３４ａを設定することで、ウエストガーニッシュ５０を取り付ける位置精度をより高めることができ、端末部分を確実かつ堅固に固定することができる。この場合についても、図１６に示すように、溶着用治具７１にドアトリムアッパー・フロント３０をセットした後、各ボス３４ａ，３４ｂに対して、ウエストガーニッシュ５０のボス孔５１ａ，５１ｂをそれぞれ挿通させてセットするが、ウエストガーニッシュ５０の上下側にそれぞれ位置決め機能をもつボス孔５１ａ，５１ｂが設定されているため、位置決め精度を精密に制御できる。そして、図１７に示すように、下側の溶着用ボス３４ｂの先端を超音波ホーン７２で溶着加工することで、ウエストガーニッシュ５０の下半部分をドアトリムアッパー・フロント３０に固定することができる。
【００５４】
次いで、図１８に示すように、端末処理装置８０のセット用治具８１にドアトリムアッパー・フロント３０をセットした後、図１９に示すように、加熱治具８２により発泡樹脂基材３１の先端の巻込みシロ３５の裏面を加熱溶融させた後、図２０に示すように、巻込み機構部８３の巻込みコマ８３ａを進退用シリンダ８３ｂの駆動により進退動作させて、巻込みシロ３５をウエストガーニッシュ５０の溶着面に沿って折曲操作すれば、巻込みシロ３５と樹脂リブ３２との間でウエストガーニッシュ５０の上側端末５０ａを挟持でき、更に、溶着用ボス３４ａの先端面と巻込みシロ３５とが溶着一体化するため、アンカー結合することでより強固な保持が可能となる。
【００５５】
従って、この変形例においても、発泡樹脂基材３１における端末処理方法を利用して、ウエストガーニッシュ５０の上側端末５０ａを樹脂リブ３２と巻込みシロ３５とで挟持固定するとともに、溶着用ボス３４ａを巻込みシロ３５と一体化することで、アンカー構造となり、より堅固な保持が可能になる等、構造を簡素化する一方、確実な取付強度も保証することができるとともに、巻込みシロ３５は略９０°の折曲操作で良く、巻込み機構部８３の動作は進退用シリンダ８３ｂのみで済むため、巻込みシロ３５の巻込み作業を簡素化できる。
【産業上の利用可能性】
【００５６】
以上説明した実施例は、ドアトリムアッパー２０Ａとドアトリムロア２０Ｂとを接合するタイプであり、かつドアトリムアッパー２０Ａが前後に二分割されたドアトリムアッパー・フロント３０に本発明に係る積層構造体の構成を採用するとともに、ウエストガーニッシュ５０等の別物部品を簡単かつ廉価に取り付ける構造に適用したが、積層構造体をドアトリムアッパー２０Ａ全体に適用するか、一体型のドアトリム、あるいはドアトリム以外の内装部品、例えば、リヤパーセルシェルフ、フロアトリム、トランクトリム、ラゲージトリム、ルーフトリム、リヤサイドトリム等、内装トリム全般に本発明構造及び本発明方法を適用することができる。
【図面の簡単な説明】
【００５７】
【図１】本発明に係る自動車用内装部品の構造を適用した自動車用ドアトリムを示す正面図である。
【図２】図１に示す自動車用ドアトリムにおけるドアトリムアッパーを示す正面図である。
【図３】図２中III −III 線断面図である。
【図４】図２中IV−IV線断面図である。
【図５】図２に示すドアトリムアッパー・フロントを成形するために使用する成形金型の全体構成を示す説明図である。
【図６】図２に示すドアトリムアッパー・フロントの成形方法における素材のセット工程を示す説明図である。
【図７】図２に示すドアトリムアッパー・フロントの成形方法における発泡樹脂基材の成形工程を示す説明図である。
【図８】図２に示すドアトリムアッパー・フロントの成形方法における樹脂リブの成形工程を示す説明図である。
【図９】図２に示すドアトリムアッパー・フロントにウエストガーニッシュをセットする状態を示す説明図である。
【図１０】図２に示すドアトリムアッパー・フロントにウエストガーニッシュをボス溶着固定する状態を示す説明図である。
【図１１】図２に示すドアトリムアッパー・フロントの端末処理を行なう端末処理装置の全体構成を示す説明図である。
【図１２】図１１に示す端末処理装置を使用してドアトリムアッパー・フロントの巻込みシロを加熱軟化させる工程を示す説明図である。
【図１３】図１１に示す端末処理装置を使用して、ドアトリムアッパー・フロントの巻込みシロを巻込み処理する工程を示す説明図である。
【図１４】図１１に示す端末処理装置を使用して、ドアトリムアッパー・フロントの巻込みシロを巻込み処理する工程を示す説明図である。
【図１５】図２に示すドアトリムアッパー・フロントに形状を変更したウエストガーニッシュを取り付けた状態を示す断面図である。
【図１６】図１５に示すドアトリムアッパー・フロントとウエストガーニッシュとを溶着用治具にセットする状態を示す説明図である。
【図１７】図１５に示すドアトリムアッパー・フロントとウエストガーニッシュとの溶着固定状態を示す説明図である。
【図１８】図１５に示すドアトリムアッパー・フロントの端末処理を行なう端末処理装置を示す説明図である。
【図１９】図１５に示すドアトリムアッパー・フロントにおける巻込みシロの加熱軟化状態を示す説明図である。
【図２０】図１５に示すドアトリムアッパー・フロントにおける巻込みシロの巻込み処理工程を示す説明図である。
【図２１】従来の自動車用ドアトリムを示す正面図である。
【図２２】図２１中XXII−XXII線断面図である。
【図２３】従来のドアトリムを成形する成形金型の全体構成を示す説明図である。
【図２４】従来の軽量型の自動車用ドアトリムを示す正面図である。
【図２５】図２４中XXV −XXV 線断面図である。
【図２６】従来の軽量型の自動車用ドアトリムに別物部品をボス溶着固定した状態を示す断面図である。
【図２７】従来の軽量型の自動車用ドアトリムに別物部品をホットメルト系接着剤により接着固定した状態を示す断面図である。
【符号の説明】
【００５８】
２０  自動車用ドアトリム
２０Ａ  ドアトリムアッパー
２０Ｂ  ドアトリムロア
３０  ドアトリムアッパー・フロント
３１  発泡樹脂基材
３２  樹脂リブ
３３  表皮
３４  溶着用ボス
３５  巻込みシロ
４０  ドアトリムアッパー・リヤ
５０  ウエストガーニッシュ
５０ａ  上側端末
５１，５１ａ，５１ｂ  ボス孔
６０  成形金型
６１  成形上型
６１２  昇降シリンダ
６２  成形下型
６２２  マニホールド
６２３  ゲート
６２４  溝部
６３  射出機
７０  カシメ装置
７１  溶着用治具
７２  超音波ホーン
８０  端末処理装置
８１  セット用治具
８１ａ  セット台
８１ｂ  スペーサ
８１ｃ  受け治具押さえ
８２  加熱治具
８２ａ  ヒーター
８２ｂ  ヒーター支持体
８２ｃ  駆動用シリンダ
８３  巻込み機構部
８３ａ  巻込みコマ
８３ｂ  進退用シリンダ
８３ｃ  テーブル
８３ｄ  上下動作用シリンダ
Ｍ  溶融樹脂
Ｓ  発泡樹脂シート
【図１】
2010047207.tif 000003
【図２】
2010047207.tif 000004
【図３】
2010047207.tif 000005
【図４】
2010047207.tif 000006
【図５】
2010047207.tif 000007
【図６】
2010047207.tif 000008
【図７】
2010047207.tif 000009
【図８】
2010047207.tif 000010
【図９】
2010047207.tif 000011
【図１０】
2010047207.tif 000012
【図１１】
2010047207.tif 000013
【図１２】
2010047207.tif 000014
【図１３】
2010047207.tif 000015
【図１４】
2010047207.tif 000016
【図１５】
2010047207.tif 000017
【図１６】
2010047207.tif 000018
【図１７】
2010047207.tif 000019
【図１８】
2010047207.tif 000020
【図１９】
2010047207.tif 000021
【図２０】
2010047207.tif 000022
【図２１】
2010047207.tif 000023
【図２２】
2010047207.tif 000024
【図２３】
2010047207.tif 000025
【図２４】
2010047207.tif 000026
【図２５】
2010047207.tif 000027
【図２６】
2010047207.tif 000028
【図２７】
2010047207.tif 000029